(57)【要約】      （修正有）【課題】被験者の顔等の画像の色味を正確に撮影するための光を照射することが可能な撮影用光照射装置、情報端末装置及び撮影方法を提供する。【解決手段】光を透過する導光板と人に対して色味が均一となる光に変換するプリズムシートを重ねて配置するとともに、前記導光板の端面に、発光ダイオード素子と該発光ダイオード素子から発せられた光の波長を変換するための波長変換部材とから成り、日本工業規格(ＪＩＳ)Ｚ８７２６に定める演色性評価において、Ｒ１乃至Ｒ１５の評価数がいずれも８０乃至１００の範囲内の演色性を有する光を射出する光源を配置することを特徴とする撮影用光照射装置、撮影用光照射装置を取り付けた情報端末装置及び撮影用光照射装置を使用した撮影方法。【選択図】図１
2013156557.tif 000002
【特許請求の範囲】
【請求項１】
撮影の被写体となる人の少なくとも一部分に光を照射するための光照射装置であって、光を透過する導光板と前記人に対して色味が均一となる光に変換するプリズムシートを重ねて配置するとともに、前記導光板の端面に光源を配置することにより、前記導光板の端面から入射した光が該導光板内を透過し、前記プリズムシートの表面を面発光させて人の少なくとも一部分に光を照射する撮影用光照射装置において、前記光源は、発光ダイオード素子と該発光ダイオード素子から発せられた光の波長を変換するための波長変換部材とから成り、日本工業規格(ＪＩＳ)Ｚ８７２６(１９９０年)に定める演色性評価において、Ｒ１乃至Ｒ１５の評価数がいずれも８０乃至１００の範囲内の演色性を有する光を射出することを特徴とする撮影用光照射装置。
【請求項２】
前記導光板の対向する端面に沿って複数の前記光源を配置し、該各光源からの光を前記導光板の端面から入射させることを特徴とする請求項１記載の撮影用光照射装置。
【請求項３】
照射する光の照度が、６０ｃｍ離れた位置で１００〜１５０ｌｘ(ルクス)であることを特徴とする請求項１又は２記載の撮影用光照射装置。
【請求項４】
照射する光の色温度が、４５００〜５５００Ｋ(ケルビン)であることを特徴とする請求項１乃至３のいずれかに記載の撮影用光照射装置。
【請求項５】
プリズムを形成するシート表面の断面略Ｖ字状の溝が互いに直交するように、２枚の前記プリズムシートを重ねて配置することを特徴とする請求項１乃至４のいずれかに記載の撮影用光照射装置。
【請求項６】
人の少なくとも一部分を撮影可能な撮影手段を有する情報端末装置に取り付けるための取付手段を更に備えてなることを特徴とする請求項１乃至５のいずれかに記載の撮影用光照射装置。
【請求項７】
前記請求項１乃至６のいずれかに記載の撮影用光照射装置と、人の少なくとも一部分を撮影可能な撮影手段とを備えてなることを特徴とする情報端末装置。
【請求項８】
請求項１乃至６のいずれかに記載の撮影用光照射装置を用いて被写体となる人に光を照射しながら撮影することを特徴とする撮影方法。
【請求項９】
撮影用光照射装置を点灯し、撮影の被写体となる人に光を照射している時間内に撮影し、撮影後に撮影用光照射装置を消灯することを特徴とする請求項８記載の撮影方法。
【発明の詳細な説明】
【技術分野】
【０００１】
本発明は、撮影の被写体となる人に光を照射するための撮影用光照射装置、情報端末装置及び撮影方法に関する。
【背景技術】
【０００２】
近年、消費者の顔画像を撮影し、撮影した顔画像をコンピュータに取り込み、顔画像に化粧を施すシミュレーションを行ってその結果を出力するメーキャップのシミュレーションシステムが、消費者に化粧のアドバイスを行いながら消費者が好む化粧品を適切に紹介できることから注目を集めている(特許文献１)。そして、このようなシミュレーションシステムにおいては、肌の色など被験者の顔画像の色味を正確に撮影することが重要であるが、天井に設置した照明など、上方向からの光の照射だけでは目の周りやフェースラインに影ができてしまうなどの欠点があった。また、照射する光によっては、太陽光の下で見たときの色味と異なって見えるため、このような光で撮影した画像をもとにシミュレートしても、メーキャップの仕上がりを示す画像として参考にできない場合があった。さらに、これまでに開発された顔撮影用の光照射装置は、比較的大型であるため(特許文献２)、スペースが限られる店頭においては設置することが困難であった。
【０００３】
一方、シミュレーションシステムは、タブレットコンピュータに格納されるなど年々小型化が進むとともに、撮影機能を備え持ち運びが容易で場所を選ばずに使用できる形態に改良されている。このため、光照射装置は店頭での限られたスペースに置くことができ、さらにシミュレーションシステムとともに持ち運べる小型サイズのものが望まれている。
【０００４】
撮影に用いる小型の照明装置としては写真撮影に用いるストロボがあるが、ストロボでは強い光を短い照射時間に照射して撮影するため、撮影条件によっては瞳孔が開いた状態で被験者の顔を撮影するため、血管が多く存在する眼球の網膜が写真に写され、所謂赤目現象と呼ばれる顔画像となり、シミュレーションシステムに使用できない場合が生じる。
【０００５】
したがって、被験者の顔画像を正確に撮影するための光を照射することができ、さらに持ち運びが容易な小型サイズで、充電だけで長時間の光照射が可能な顔撮影用光照射装置、情報端末装置及び撮影方法の開発が望まれる。
【先行技術文献】
【特許文献】
【０００６】
【特許文献１】特開２０１１−２２７３３号公報
【特許文献２】特開２０１０−９７１２６号公報
【発明の開示】
【発明が解決しようとする課題】
【０００７】
本発明は、被験者の顔等の画像の色味を正確に撮影するための光を照射することが可能な撮影用光照射装置、情報端末装置及び撮影方法を提供することを課題とする。
【課題を解決するための手段】
【０００８】
前記課題を解決するために本発明者が検討を行った結果、光を透過する導光板と人に対して色味が均一となる光に変換するプリズムシートを重ねて配置し、発光ダイオード素子を光源として導光板の端面に演色性効果が大きい光を照射することにより、導光板の内部に入射した光がプリズムシートの表面を面発光させて人に光を照射し、この照射光で人を撮影するとシミュレーションシステムに適した画像、すなわち、被写体となる人物の肌等の色味が太陽光の下で撮影した場合と著しいギャップが生じない撮影画像が得られることを見出し、本発明を完成するに至った。
【０００９】
すなわち本発明は、撮影の被写体となる人の少なくとも一部分に光を照射するための光照射装置であって、光を透過する導光板と前記人に対して色味が均一となる光に変換するプリズムシートを重ねて配置するとともに、前記導光板の端面に光源を配置することにより、前記導光板の端面から入射した光が該導光板内を透過し、前記プリズムシートの表面を面発光させて人の少なくとも一部分に光を照射する撮影用光照射装置において、前記光源は、発光ダイオード素子と該発光ダイオード素子から発せられた光の波長を変換するための波長変換部材とから成り、日本工業規格(ＪＩＳ)Ｚ８７２６(１９９０年)に定める演色性評価において、Ｒ１乃至Ｒ１５の評価数がいずれも８０乃至１００の範囲内の演色性を有する光を射出することを特徴とする撮影用光照射装置である。
【００１０】
本発明で言う「人」とは、人体の全身に限らず、人体の一部分も含んでいる。例えば、顔に化粧を施すメーキャップシミュレーションの被写体とする場合は、「顔」が撮影対象となり、爪にネイルアートを施すシミュレーションの被写体とする場合は、「手」が撮影対象となる。無論、衣服の着せ替えシミュレーションの被写体とする場合は、「全身」が撮影対象となる。また、「色味が均一となる光に変換する」とは、点光源である発光ダイオード素子から照射された光を、色むらが視認困難な均一な面発光にするということであり、例えば、集光、拡散光、平行光といった光の射出形態には限定されない。
【００１１】
さらに本発明は、前記導光板の対向する端面に沿って複数の前記光源を配置し、該各光源からの光を前記導光板の端面から入射させることを特徴とする撮影用光照射装置である。
【００１２】
さらに本発明は、照射する光の照度が、６０ｃｍ離れた位置で１００〜１５０ｌｘ(ルクス)であることを特徴とする撮影用光照射装置である。
【００１３】
さらに本発明は、照射する光の色温度が、４５００〜５５００Ｋ(ケルビン)であることを特徴とする撮影用光照射装置である。
【００１４】
さらに本発明は、プリズムを形成するシート表面の断面略Ｖ字状の溝が互いに直交するように、２枚の前記プリズムシートを重ねて配置することを特徴とする撮影用光照射装置である。
【００１５】
また、本発明は、人の少なくとも一部分を撮影可能な撮影手段を有する情報端末装置に取り付けるための取付手段を更に備えてなることを特徴とする撮影用光照射装置である。
例えば、前記取付手段は、前記情報端末装置の前記撮影手段による撮影方向と前記撮影用光照射装置による照射方向とが略同じ方向となるように該撮影用光照射装置の本体を該情報端末装置に取り付けるようにして構成されていることを特徴とする撮影用光照射装置であれば、演色性効果が大きい光を被写体の撮影範囲に集中して照射することが可能となる。
また、前記撮影用光照射装置を前記撮影手段の近傍に設けることで、例えば、比較的演色性効果が小さい室内灯のような外光の影響を大きく受けない利点もある。
【００１６】
さらに本発明は、前記撮影用光照射装置と、人の少なくとも一部分を撮影可能な撮影手段とを備えてなることを特徴とする情報端末装置である。
【００１７】
また本発明は、前記撮影用光照射装置を用いて被写体となる人に光を照射しながら撮影することを特徴とする撮影方法である。
【００１８】
さらに本発明は、撮影用光照射装置を点灯し、撮影の被写体となる人に光を照射している時間内に撮影し、撮影後に撮影用光照射装置を消灯することを特徴とする撮影方法である。
【発明の効果】
【００１９】
本発明の光照射装置によれば、プリズムシートを面発光させることにより得られる均一な光を被験者に照射することで、影等のない被験者の画像を撮影することができ、このような画像を使用すれば正確なメーキャップのシミュレーションを行うことができる。
【００２０】
また、光源に演色性効果の高い発光デバイスを用いることにより、太陽光の下で撮影したときと同様の画像を得ることができる。そして、このような画像を用いてメーキャップシミュレーションを行えば、太陽光の下でメーキャップの仕上がりを確認したときと同様の評価をすることができる。
【００２１】
持ち運びが容易な小型サイズにできるため、携帯可能なシミュレーションシステムとともに携行することができる。
【００２２】
発光ダイオード素子を光源としているため、小型サイズでありながら充電だけで長時間の光照射が可能である。
【図面の簡単な説明】
【００２３】
【図１】撮影用光照射装置の外観図((ａ)正面図、(ｂ)背面図、(ｃ)斜視図)
【図２】撮影用光照射装置の構成を示す図
【図３】撮影用光照射装置のＡ−Ａ線断面図
【図４】２枚のプリズムシートを配置した模式図
【図５】発光デバイスの構造図
【図６】撮影用光照射装置を取り付けたメーキャップシミュレーション装置を示す図(第１の実施態様図) ((ａ)正面図、(ｂ)背面図)
【図７】撮影用光照射装置を組み込んだメーキャップシミュレーション装置を示す図(第２の実施態様図) ((ａ)正面図、(ｂ)背面図)
【図８】撮影用光照射装置を取り付けたメーキャップシミュレーション装置を示す図(第３の実施態様図) ((ａ)正面図、(ｂ)背面図)
【図９】撮影用光照射装置を組み込んだメーキャップシミュレーション装置を示す図(第４の実施態様図) ((ａ)正面図、(ｂ)背面図)
【発明を実施するための形態】
【００２４】
本発明の撮影用光照射装置を以下に詳細に説明する。
【００２５】
図１に示すように、撮影用光照射装置(１)は、正面に光を照射するための照射窓(３)と、装置の電源を入れるためのスイッチボタン(４)を備え、背面には取付手段としての係止突起(６)が突設された底板(５)が取り付けられている。スイッチボタン(４)を押すと本体内部の回路が導通し、照射窓(３)から光が照射される。係止突起(６)は、撮影用光照射装置(１)を撮影機器に接合するためのものであり、撮影用光照射装置(１)を撮影機器に接合すれば、撮影機器を手に持って被写体を撮影する際、撮影者がたとえ一人でも撮影用光照射装置(１)を適切に被写体に向けることができる。特に、撮影機能を備えた小型サイズのタブレットコンピュータに係止凹部を設ければ、係止突起(６)を嵌合して撮影用光照射装置(１)を取り付けることができ、容易に撮影できるとともに、撮影した画像をそのままコンピュータに取り込むことができる。
【００２６】
撮影用光照射装置の本体(２)は、底面を開口面とした凹形状であり、かかる凹部(2a)に各種部材が収容される。図２に示すように、本体(２)の内部には、光を透過する導光板(10)と、当該導光板(10)の上面に人に対して色味が均一となる光に変換するための２枚のプリズムシート(９)(プリズムシートＡ(9a)とプリズムシートＢ(9b))を重ねて配置する。また、プリズムシートＡ(9a)の上面には窓板(８)を配置し、プリズムシートＡ(9a)の上表面に傷や汚れが付くことを防止している。また、凹部(2a)の内周側壁面には、導光板(10)の端面(10a)に光を照射するための発光ダイオード素子(7a)を組み込んだ発光デバイス(７)が設置されている。底板(５)は、これらすべての部材が本体の内部に収納された後、凹部(2a)の開口部に取り付けられ本体底部を閉塞する。
【００２７】
発光ダイオード素子(7a)は、導光板(10)の対向する端面に沿って複数配置される(図２)。そして発光ダイオード素子(7a)から照射される光は、導光板(10)の端面(10a)から導光板内部に入射される。導光板(10)の内部に入射した光は導光板内部を伝搬し上表面(光出射面)(10b)からプリズムシート(９)に向かって出射される(図３)。
【００２８】
発光ダイオード素子(7a)を端面(10a)に沿って複数配置することにより、照射窓(３)から照射される光の強度を強めることができるとともに、照射窓から放出される光を被写体全体を照らす均一な光とすることができる。発光ダイオード素子の取り付けは、例えば、プリント基板上に複数の発光ダイオード素子を設置したＬＥＤ基板を容器凹部の内周側壁面に取り付けて行えば、作業を効率的に行うことができ生産性の観点から好適である。図２では、導光板の対向する端面に沿って片側１２個づつ、合計２４個の発光ダイオード素子を配置している。
【００２９】
導光板(10)は、発光ダイオード素子(7a)から発せられる光を、導光板内部で伝搬することにより広い面積に拡散し、導光板の上表面(光出射面)(10b)からプリズムシート(９)に向かって光を放出するものである。したがって、導光板は光透過率が高い素材からなることが好ましく、例えば、アクリル樹脂，ポリカーボネート樹脂などの有機樹脂あるいはガラス基板等から構成される。
【００３０】
導光板(10)の上表面(光出射面)(10b)にはプリズムシート(９)が配置される。プリズムシート(９)は、導光板上面から出射された光の進行方向を調整する役割を果たす。プリズムシートは光透過性の光学部材であり、表面に断面略Ｖ字形状の溝が一方向に多数延在してプリズムを形成されており、延在方向に直交する断面が鋸刃状であるものが一般的であるが、半円もしくは半楕円形状の光学構造体を複数連続的にシート状の基材の上に配置することで、プリズムを形成するものもある。プリズムシート(９)は、導光板から出射された光の拡散性を高め、シート表面の色むらの均一性を高める効果がある。
【００３１】
図４に示すように、プリズムシートＢ(9b)の表面に形成された複数のプリズムは、導光板(10)の長辺方向に延びており、光源から導光板に取り込まれた光の進行方向に対して直角に並んでいる。またプリズムシートＡ(9a)は、導光板(10)の短辺方向に延びており、プリズムシートＡ(9a)とプリズムシートＢ(9b)とは互いにプリズムが直交するよう配置されている。このように配置することにより、発光ダイオード素子から発せられる光を広い面から発せられる均一な光に変換することができる。また、プリズムシートＡおよびＢは、それぞれのプリズムの頂角が導光板(10)の光出射面(10b)に対して対向しないように配置される。これら２枚のプリズムシートＡおよびＢの配置順序は特に限定されない。また、ここでは、複数の三角プリズムが透明な樹脂シート上に配置された２枚のプリズムシートＡおよびＢを用いたが、２枚のプリズムシートＡおよびＢの代わりに、プリズムに類する光学素子が規則的に配置されたシートを用いても良い。また、レンズ効果を有する素子、例えば、凹レンズ、凸レンズ、レンチキュラーレンズ、ピラミッド型などの光学素子を規則的に備えるシートをプリズムシートの代わりに用いることもできる。
【００３２】
光源を発光ダイオード素子と波長変換部材を組み合わせてなる発光デバイスとし、かかる発光デバイスによる光が日本工業規格(ＪＩＳ)Ｚ８７２６(１９９０年)に定める演色性評価において、Ｒ１乃至Ｒ１５の評価数がいずれも８０乃至１００の範囲内の演色性を有することが好ましい。このような演色性に優れた光源を用いることにより、メーキャップシミュレーションに適した画像を得ることができる。
【００３３】
演色性とは光源による色の再現性を示すものであるが、演色性を評価する方法として、日本工業規格(ＪＩＳ)Ｚ８７２６(１９９０年)がある。演色性は演色評価数をもって数値で表すことができ、演色評価数は、日本工業規格で定められた基準光(ここでは、太陽光に近似したものを基準の光とする)との比較の上で測定対象となる光源が、演色評価用の色票を照明したときに生じる色ずれを、指数として表したものである。色票には、Ｒ１乃至Ｒ８の標準８色とＲ９乃至Ｒ１５の特殊色からなる合計１５色がある。測定対象の光源で照明した色票と、基準光により照射した色票との色の違いを評価し、それらに差が無く全く同じで有れば演色評価数は１００となる。光源の色温度が同じであっても、演色評価数によって色の見え方が異なり、演色評価数が低ければ、太陽光に照らされた色味から遠ざかっていく。また可視光全域にわたり均一な光の密度を持った光源であるほど、演色性の良い光源といえる。
【００３４】
発光ダイオード素子と波長変換部材を組み合わせてなる発光デバイスは、例えば、アルミナや窒化アルミニウム等の熱伝導率が高い絶縁材料で凹状に形成された基体(7d)の内底面に窒化ガリウム系化合物半導体がｎ型層、発光層及びｐ型層の順に積層され、青色光や紫色光、紫外光を発する発光ダイオード素子(7a)が設置され、基体(7d)の凹部開口を、例えば、水晶、サファイア、ダイアモンド等の熱伝導性が高く透光性に優れた材料からなる透光性基板(7c)で覆い、当該透光性基板上に赤色蛍光体、緑色蛍光体、青色蛍光体、黄色蛍光体からなる蛍光体(7e)を含有する波長変換部材(7b)が積層される構造である(図５)。波長変換部材(7b)に含有する蛍光体(7e)の種類および含有量を調整することにより、発光デバイス(７)が発する混合光は、プランク軌跡上を移動する極めて太陽光に近い演色性に優れた照射光を得ることができる。発光デバイスの構造および製造方法については、特開２００５−１９１１９７号公報、特開２０１１−３５１９８号公報等に記載がある。
【００３５】
日本工業規格(ＪＩＳ)Ｚ８７２６(１９９０年)に定める演色性評価にけるＲ１乃至Ｒ１５の評価数がいずれも８０乃至１００の範囲内の演色性を有する発光デバイスには市販品を用いることができる。
【００３６】
撮影用光照射装置から照射される光は、装置から６０ｃｍ離れた位置での照度が１００〜１５０ｌｘ(ルクス)であることが好ましい。照度は単位面積あたりに入射する光束の量を示すもので、被写体に照射した光の明るさを示す指標となる。６０ｃｍ離れた位置での照度が１００ｌｘより小さいと撮影した画像が暗い肌色となり、１５０ｌｘより大きいと明るすぎる肌色となってしまうためである。
【００３７】
撮影用光照射装置から照射される光は、色温度が４５００〜５５００Ｋ(ケルビン)であることが好ましい。色温度は、表現しようとする光の色をある温度(高熱)の黒体から放射される光の色と対応させ、その時の黒体の温度をもって色温度とするものであり、被写体の色を正確に再現のために重要な要素である。色温度が４５００Ｋより小さいと赤みが強い肌色となり、５５００Ｋより大きいと青白い肌色となってしまい、撮影した画像について色補正を行うなど後処理が必要となるためである。
【００３８】
撮影用光照射装置は、発光ダイオード素子を光源とし、導光板とプリズムシートを重ねて配置することにより、消費電力を抑えながら人の撮影に最適な光を被写体全体に照射することができる。これにより撮影用光照射装置は小型化が可能となるとともに、バッテリにより充電のみで長時間の照射が可能となる。このため撮影用光照射装置を点灯させ、撮影の被写体となる顔に光を照射している時間内に顔を撮影し、撮影後に撮影用光照射装置を消灯するという手順で撮影すれば、瞳孔が開いた状態で被験者の顔を撮影することがなく、所謂赤目と呼ばれる顔画像となることはないため、メーキャップシミュレーションに適した画像を得ることができる。
【００３９】
図６乃至図９は、本発明の撮影用照射装置を情報端末装置としてのメーキャップシミュレーション装置に取り付け、あるいは内蔵した例を示すものである。ここで、メーキャップシミュレーション装置は、内蔵するカメラで被験者の顔を撮影し、撮影した画像をコンピュータ内に格納するとともに、画像解析により種々のメーキャップを施した顔画像をシミュレートして液晶画面上に表出するものである(特開２００９−３９５２３号公報、特開２０１０−１７９０１２号公報）。図６乃至図９では、小型サイズのタブレット型コンピュータをメーキャップシミュレーション装置として例示するが、特開２００９−３９５２３号公報、特開２０１０−１７９０１２号公報に記載されるような据え置きタイプの大型サイズのものであってもよい。
【００４０】
図６及び図７は、被験者が液晶画面(15)に映し出される自らの顔画像を確認しながら撮影することができるように、液晶画面(15)に並べてカメラ(14)及び光を照射するための発光面(13)がカメラ(14)の近傍に配置され、発光面(13)は、スイッチボタン(12)を押下することで発光する。図６は、撮影用光照射装置(１)を取り付けたメーキャップシミュレーション装置(11)を例示するものであり、図７は、撮影用光照射装置(１)を内蔵したメーキャップシミュレーション装置(11)を例示するものである。
【００４１】
図８及び図９は、被験者以外の人、例えば、美容コンサルタントが被験者にカメラを向け、被験者以外の人が液晶画面を確認しながら撮影するのに適したもので、液晶画面(15)とは反対側にカメラ(14)及び光を照射するための発光面(13)がカメラ(14)の近傍に配置され、図６及び図７の例と同様に、発光面(13)は、スイッチボタン(12)を押下することで発光する。図８は、撮影用光照射装置(１)を取り付けたメーキャップシミュレーション装置(11)を例示するものであり、図９は、撮影用光照射装置(１)を内蔵したメーキャップシミュレーション装置(11)を例示するものである。
【符号の説明】
【００４２】
１  撮影用光照射装置
２  本体
２ａ  凹部
３  照射窓
４  スイッチボタン
５  底板
６  係止突起
７  発光デバイス
７ａ  発光ダイオード素子
７ｂ  波長変換部材
７ｃ  透光性基板
７ｄ  基体
７ｅ  蛍光体
８  窓板
９  プリズムシート
９ａ  プリズムシートＡ
９ｂ  プリズムシートＢ
１０  導光板
１０ａ  端面
１０ｂ  光出射面
１１  メーキャップシミュレーション装置
１２  スイッチボタン
１３  発光面
１４  カメラ
１５  液晶画面
【図１】
2013156557.tif 000003
【図２】
2013156557.tif 000004
【図３】
2013156557.tif 000005
【図４】
2013156557.tif 000006
【図５】
2013156557.tif 000007
【図６】
2013156557.tif 000008
【図７】
2013156557.tif 000009
【図８】
2013156557.tif 000010
【図９】
2013156557.tif 000011